(57)【特許請求の範囲】
【請求項１】
屈曲部と、両端部に管が受挿方式にて接続される管接続部とを有する屈曲継手を備え、
前記屈曲継手の両端部の外側に設けられその端面と平行をなすような地盤押圧面を有する面板と、該面板を前記屈曲継手に固定する固定部材と、からなる前記スラスト防護機構を備えることを特徴とするスラスト防護機構付き屈曲継手。
【請求項２】
請求項１に記載のスラスト防護機構付き屈曲継手を用い、その屈曲継手の管接続部に受挿方式にて管が接続された状態にて地盤中に埋設されていることを特徴とする管路屈曲部のスラスト防護構造。
【発明の詳細な説明】
【０００１】
【発明の属する技術分野】
本発明は、大口径の内水圧がかかる管路に用いられるスラスト防護機構付き屈曲継手及びそれを用いた屈曲部のスラスト防護構造に関するものである。
【０００２】
【従来の技術】
以前より、農業用水、水道等の大口径の内水圧がかかる管路用の配管として、繊維強化樹脂管（繊維強化樹脂複合管も含む）が広く使用されている。
大口径の内水圧がかかる管路を、受口を有する繊維強化樹脂製の管継手を用いて受挿方式（ゴム輪を内蔵する受口内に挿口を挿入接続する方式）にて管を接続して管路を形成したとき、その接続部、特にその屈曲部や分岐部分付近の接続部で、受口から挿口が抜け出る力（スラスト力）が働く。
【０００３】
従来、この対策として、例えば、図５に示すように、施工時に繊維強化樹脂製のエルボａの背側にストラスブロックコンクリートｂを現場で打設して、エルボａを固定する方法が採用されていた。
【０００４】
説明が簡単になるように、エルボａとして屈曲度９０°のものを用いて、そのエルボａの管受口に繊維強化樹脂管ｃの管挿口を挿入し接続して配管路を形成した場合、内水圧Ｑ2 がエルボａに作用するが、エルボａはストラスブロックコンクリートｂにより固定されているので、内水圧Ｑ2 の反力としての抜け力Ｑ1 （＝Ｑ2 ）が繊維強化樹脂管ｃに作用する。
【０００５】
しかし、この抜け力Ｑ1 は、繊維強化樹脂管ｃの長手方向の外面と土との摩擦で充分に抑止されるので、エルボａの受口から繊維強化樹脂管ｃが抜け出すことがなかった。
【０００６】
しかしながら、スラストブロック打設は、その部分のコンクリート打設、養生といった手間がかかり、工事費が高くなる上に、コンクリート養生の間は開削状態で放置する必要があり埋め戻しができないために工事が長期にわたるという問題点がある。
【０００７】
【発明が解決しようとする課題】
本発明は、上記のような従来の問題点を解消し、複雑な形状のスラストブロックを打つ手間が省け、優れたスラスト防止性能を発現できるスラスト防護機構付き屈曲継手、及びそれを用いた管路屈曲部のスラスト防護構造を提供することを目的としてなされたものである。
【０００８】
【課題を解決するための手段】
本願の請求項１に記載の発明（本発明１）は、屈曲部と、両端部に管が受挿方式にて接続される管接続部とを有する屈曲継手を備え、前記屈曲継手の両端部の外側に設けられその端面と平行をなすような地盤押圧面を有する面板と、該面板を前記屈曲継手に固定する固定部材と、からなる前記スラスト防護機構を備えるスラスト防護機構付き屈曲継手である。
【０００９】
本願の請求項２に記載の発明（本発明２）は、本発明１のスラスト防護機構付き屈曲継手を用い、その屈曲継手の管接続部に受挿方式にて管が接続された状態にて地盤中に埋設されている管路屈曲部のスラスト防護構造である。
【００１０】
本発明において、屈曲継手としては、繊維強化樹脂からなるものが好適に使用されるが、その他の材料からなるものであってもよい。
本発明において、屈曲継手の管接続部に受挿方式にて接合される管としては、上記同様の繊維強化樹脂からなるものが好適に使用されるが、その他の材料からなるものであってもよい。
【００１１】
繊維強化樹脂を構成する強化繊維としては、例えば、ガラス繊維、カーボン繊維等の強化繊維一般が使用される。繊維強化樹脂を構成する樹脂としては、例えば、不飽和ポリエステル、ビニルエステル樹脂、エポキシ樹脂等の熱硬化性樹脂一般が使用される。
【００１２】
本発明において、屈曲継手の両端部に有する受挿方式の管接続部は、ゴム輪を内蔵する受口であってその中に管の挿口が挿入接続される構造とされるのが好ましいが、挿口であって管の端部に形成されたゴム輪を内蔵する受口内に挿入接続される構造とされてよい。
受口に内蔵するゴム輪は、受口の内面に周方向に沿って形成された凹溝内に装着されてもよいし、接着固定されてもよい。
屈曲継手の屈曲角度は、通常、９０°、２２．５°、５．６２５°等があるが、その間の自由角度も含まれる。
【００１３】
【作用】
本発明のスラスト防護機構付き屈曲継手は、屈曲部と、両端部に管が受挿方式にて接続される管接続部とを有する屈曲継手を備え、該屈曲継手の前記屈曲部の背部に、その外方に向けて次第に広がる地盤押圧面を有するスラスト防護機構が設けられていることにより、スラストブロックを打設する施工を要することなく、その管接続部に管を受挿方式にて接合し地盤中に埋設するだけで、優れたスラスト防止性能を発現できる管路屈曲部のスラスト防護構造を施工性よく形成することができる。
【００１４】
本発明の管路屈曲部のスラスト防護構造は、本発明のスラスト防護機構付き屈曲継手を用い、その管接続部に受挿方式にて管が接続された状態にて地盤中に埋設されていることにより、管路屈曲部にスラスト力が作用したとき、屈曲継手の屈曲部の背部外方に向けて次第に広がる地盤押圧面が埋め戻した地盤を押圧しスラスト力を吸収するので、屈曲継手の管接続部に受挿方式にて接続した管が抜け出ることがない。
【００１５】
【発明の実施の形態】
以下、本発明の実施の形態を図面を参照して説明する。
図１は、本発明のスラスト防護機構付き屈曲継手の一例を説明する平面視断面図、図２は図１のＡ−Ａ線に沿う断面図である。
【００１６】
図１に示すように、このスラスト防護機構付き屈曲継手は、屈曲継手１と、スラスト防護機構２とからなる。
屈曲継手１は、屈曲部１１と、その両端部にゴム環１３，１３を内蔵する受口１２，１２とを有している。ゴム輪１３，１３は受口１２，１２内に接着固定されている。
【００１７】
スラスト防護機構２は、屈曲継手１の両端部の外側にその端面と平行をなすように設けられる一対の面板２１，２１と、その面板２１，２１を屈曲継手１に固定する固定部材２２とからなる。
面板２１，２１は、屈曲継手１の端部が挿入される通孔２１１，２１１を有している。
【００１８】
固定部材２２は、外端部固定部材２２１、内端部固定部材２２２と、枕材２２３とからなる。
外端部固定部材２２１は、２本のＨ形鋼材からなるものであって、両端部には、面板２１の広がり角度に合わせて傾斜する締結部２２１ａ，２２１ａが設けられている。
【００１９】
内端部固定部材２２２には、底板２２２ａに、面板２１の広がり角度に合わせて傾斜する締結部２２２ａ，２２２ａが設けられている。
枕材２２３は、一面が平坦とされ、外端部固定部材２２１の２本のＨ形鋼材を当接できる面とされ、他面が屈曲継手１の屈曲部１１の背部外面に合致する凹曲面とされている。
【００２０】
一対の面板２１，２１が屈曲継手１の両端部の外側にその通孔２１１，２１１を通過させるようにして装着されている。
その面板２１，２１の外端部間は、屈曲継手１の屈曲部１１の背部の外面に枕材２２３を介して当接された２本のＨ形鋼材からなる外端部固定部材２２１，２２１の締結部２２１ａ，２２１ａにより締結され、内端部間は、内端部固定部材２２２によりその締結部２２２ａ，２２２ａにて締結されるようにして、屈曲継手１の屈曲部１１の背部にスラスト防護機構２が設けられている。
【００２１】
このスラスト防止機構２は、屈曲継手１の屈曲部１１の背部外方に向けて一対の面板２１，２１間の間隔が次第に逆ハ字状に広がる相対する地盤押圧面２１２，２１２を有している。
【００２２】
このスラスト防護機構付き屈曲継手を用い、その屈曲継手１の両端部の受口１２，１２に、図示しない繊維強化樹脂管が挿入接続され、地盤が埋め戻されることにより本発明の管路屈曲部のスラスト防護構造が形成される。
【００２３】
この管路屈曲部にスラスト力が作用したとき、屈曲継手１の屈曲部１１の背部外側に向けて次第に広がる地盤押圧面２１２，２１２が埋め戻された地盤を押圧しスラスト力を吸収するので、屈曲継手１の受口１２，１２から接続した繊維強化樹脂管が抜け出ることがない。
【００２４】
図３は、本発明の本発明のスラスト防護機構付き屈曲継手の参考例を説明する平面視断面図、図４は図３のＢ−Ｂ線に沿う断面図である。
図３に示すように、このスラスト防護機構付き屈曲継手は、屈曲継手３と、スラスト防護機構４とからなる。
【００２５】
屈曲継手３は、屈曲部３１と、その両端部に管が挿入接続されたゴム環３３を内蔵する受口３２，３２とを有している。ゴム輪３３，３３は受口３２，３２に接着固定されている。
スラスト防護機構４は、屈曲部の背部の外側に次第に広がる地盤押圧面を有する樋状部材４１と、その樋状部材４１を屈曲継手３へのレジンコンクリート（接合部材）４２とからなる。
【００２６】
屈曲継手３の屈曲部３１の背部の外面にレジンコンクリーからなる接合部材４２を介して、樋状部材４１が、屈曲継手３の長手方向に直交する方向に軸方向を向け、その樋内面を屈曲部の背部外側に向けて広がるに向けられた状態にて、固定されている。
このスラスト防止機構４は、樋状部材４１の樋内面が屈曲継手３の屈曲部１１の背部外方に向けて次第に広がる地盤押圧面４１１を有している。
【００２７】
このスラスト防護機構付き屈曲継手を用い、その屈曲継手３の両端部の受口３２，３２に、図示しない繊維強化樹脂管が挿入接続され地盤が埋め戻されることにより本発明の管路屈曲部のスラスト防護構造が形成される。
【００２８】
この管路屈曲部にスラスト力が作用したとき、屈曲継手３の屈曲部３１の背部外方に向けて次第に広がる樋状部材４１の樋内面をなす地盤押圧面４１２が埋め戻された地盤を押圧しスラスト力を吸収するので、屈曲継手１の受口３２，３２から接続した繊維強化樹脂管が抜け出ることがない。
【００２９】
【実施例】
以下、本発明を実施例により説明する。
実施例１
図１及び図２を参照して説明したスラスト防護機構付き屈曲継手を用いて、管路屈曲部のスラスト防護構造を形成した。
屈曲継手１としては、繊維強化樹脂製であって、屈曲角度２２．５°の屈曲部１１の両端部に、ゴム輪が接着固定された口径１０００の受口を有するものを用いた。
面板２１としては、繊維強化発泡体（積水化学社製、商品名「ＦＦＵ」）からなる長さ２０００ｍｍ、幅１５００ｍｍ、厚１００ｍｍのものを用いた。
【００３０】
屈曲継手１の両端部の設置した面板２１，２１を固定部材２２にて屈曲継手１に固定し、その屈曲継手１の両端部の受口１２，１２に、図示しない繊維強化樹脂管を挿入接続し、通常の埋め戻しに使用するＣ３０破石にて埋め戻して管路屈曲部のスラスト防護構造を形成した。
この管路屈曲部は、施工開始から２日で完成させることができた。
この管路屈曲部に、内水圧１０ｋｇ／ｃｍ2 まで上昇させたが異常はなかった。
【００３１】
実施例２
屈曲継手１としては、屈曲角度２２．５°の屈曲部を有するものを用いた事以外は実施例１と同様にして、管路屈曲部のスラスト防護構造を形成した。
この管路屈曲部は、施工開始から２日で完成させることができた。
この管路屈曲部に、内水圧１０ｋｇ／ｃｍ2 まで上昇させたが異常はなかった。
【００３２】
参考例１
図３及び図４を参照して説明したスラスト防護機構付き屈曲継手を用いて、管路屈曲部のスラスト防護構造を形成した。
屈曲継手３としては、実施例２と同様のものを用いた。
樋状部材４１としては、繊維強化樹脂モルタル製の口径φ２０００のものを用いた。
屈曲継手３の屈曲部３１の背部外面にレジンコンクリーからなる接合部材４２を介して、樋状部材４１を、屈曲継手３の長手方向に直交する方向に軸方向を向け、その樋内面を屈曲部の背部外側に向けて広がるに向けられた状態にて、固定した。
【００３３】
この屈曲継手３の両端部の受口３２，３２に、図示しない繊維強化樹脂管を挿入接続し、通常の埋め戻しに使用するＣ３０破石にて埋め戻して屈曲管路部のスラスト防護構造を形成した。
この管路屈曲部は、施工開始から２日で完成させることができた。
この管路屈曲部に、内水圧１０ｋｇ／ｃｍ2 まで上昇させたが異常はなかった。
【００３４】
【発明の効果】
本発明のスラスト防護機構付き屈曲継手は、上記のとおりとされているので、スラスト防止機能を発現できる管路屈曲部のスラスト防護構造を施工性よく形成することができる。
【００３５】
本発明の管路屈曲部のスラスト防護構造は、上記のとおりとされているので、スラストブロックを打設する施工を要することなく、スラスト防止機能を発現できる。
【００３６】
【図面の簡単な説明】
【図１】  本発明のスラスト防護機構付き屈曲継手の一例を説明する平面視断面図である。
【図２】  図１におけるＡ−Ａ線に沿う断面図である。
【図３】  本発明のスラスト防護機構付き屈曲継手の参考例を説明する平面視断面図である。
【図４】  図３におけるＢ−Ｂ線に沿う断面図である。
【図５】  従来の配管路の一例を説明する断面図である。
【符号の説明】
１，３  屈曲継手
２，４  スラスト防護機構
１１，３１  屈曲部
１２，３２  受口
１３，３３  ゴム輪
２１  面板
２２  固定部材
４１  樋状部材
４２  接合部材
【図１】
0004224165.tif 000002
【図２】
0004224165.tif 000003
【図３】
0004224165.tif 000004
【図４】
0004224165.tif 000005
【図５】
0004224165.tif 000006